(57)【要約】  本発明は、マルチメディア放送／マルチキャストサービス（ＭＢＭＳサービス）に関し、特に特定の周波数帯域で特定のＭＢＭＳサービスが提供されるＦＬＣ状況下で専用チャネルを有するＵＥが他のセルに移動する際、ＵＥに他のセルの選好周波数帯域に関する情報を知らせてくれる方法及び装置に関する。  本発明は、専用チャネルを有するＵＥが新たなセルに移動した際、ＳＲＮＣがＵＥにセルでＵＥが受信しようとするＭＢＭＳサービスの選好周波数帯域情報を知らせてくれる。この際、もしＵＥがＳＲＮＣでない他のＲＮＣ（ＤＲＮＣ）が管理するセルに移動した場合、ＤＲＮＣはセルのＭＢＭＳサービスに対する選好周波数帯域（ＰＦＬ）情報をＳＲＮＣに知らせてくれ、ＳＲＮＣは選好周波数帯域情報をＵＥに知らせてくれるため、ＵＥは該選好周波数帯域に移動することができるようになる。
2008524955.tif 000002
【特許請求の範囲】
【請求項１】
サービング無線網制御器（ＳＲＮＣ）が端末にマルチメディア放送／マルチキャストサービス（ＭＢＭＳサービス）を提供する方法であって、
前記ＭＢＭＳサービスを受信しようとする端末の第１セルから第２セルへの移動を感知する過程と、
前記第２セルを制御するドリフト無線網制御器（ＤＲＮＣ）に前記端末に対する無線リンクの追加またはセットアップを要請する過程と、
前記ドリフト無線網制御器から前記端末が加入し、セッションが始まった少なくとも１つのＭＢＭＳサービスの各々に対する選好周波数帯域を示す選好周波数情報を受信する過程と、
前記受信した選好周波数情報を前記端末に伝送する過程と、
を含むことを特徴とするＭＢＭＳサービス方法。
【請求項２】
前記選好周波数情報は、
少なくとも１つの前記ＭＢＭＳサービスの各々に対して選好周波数帯域を示すダウンリンクＵＴＲＡ（Universal Terrestrial Radio Access）アブソリュート無線周波数チャネル番号（ＤＬＵＡＲＦＣＮ）と、ＭＢＭＳサービスＩＤを示すＴＭＧＩ（Temporary MBMS Group Identify）から構成されることを特徴とする請求項１記載のＭＢＭＳサービス方法。
【請求項３】
前記選好周波数情報は、無線リンクセットアップ応答メッセージに含まれることを特徴とする請求項１記載のＭＢＭＳサービス方法。
【請求項４】
前記選好周波数情報は、無線リンク追加応答メッセージに含まれることを特徴とする請求項１記載のＭＢＭＳサービス方法。
【請求項５】
前記無線リンクの追加またはセットアップを要請する過程は、
前記ドリフト無線網制御器に前記端末に対する無線リンクが存在しなければ、前記ドリフト無線網制御器に前記端末に対する無線リンクセットアップ要請メッセージを伝送することを特徴とする請求項１記載のＭＢＭＳサービス方法。
【請求項６】
前記無線リンクの追加またはセットアップを要請する過程は、
前記ドリフト無線網制御器に前記端末に対する無線リンクが存在すれば、前記端末に対する無線リンク追加要請メッセージを前記ドリフト無線網制御器に伝送することを特徴とする請求項１記載のＭＢＭＳサービス方法。
【請求項７】
前記選好周波数情報を伝送する過程は、
前記選好周波数情報を無線資源制御（ＲＲＣ）メッセージに含めて前記端末のための専用制御チャネルを介して伝送することを特徴とする請求項１記載のＭＢＭＳサービス方法。
【請求項８】
前記端末に前記選好周波数情報を伝送した後に、前記端末から周波数変更を要請受けて、前記要請された周波数へのハードハンドオーバーを遂行する過程を更に含むことを特徴とする請求項１記載のＭＢＭＳサービス方法。
【請求項９】
ドリフト無線網制御器が端末にマルチメディア放送／マルチキャストサービス（ＭＢＭＳサービス）を提供する方法であって、
前記ＭＢＭＳサービスを受信中の端末が前記ドリフト無線網制御器により制御されるセルに進入することによって、サービング無線網制御器から前記端末に対する無線リンクの追加またはセットアップ要請を受信する過程と、
前記端末が加入し、セッションが始まった少なくとも１つのＭＢＭＳサービスの各々に対する前記セルでの選好周波数帯域を示す選好周波数情報を確認する過程と、
前記選好周波数情報を前記サービング無線網制御器に伝送する過程と、
を含むことを特徴とするＭＢＭＳサービス方法。
【請求項１０】
前記選好周波数情報は、
少なくとも１つの前記ＭＢＭＳサービスの各々に対して選好周波数帯域を示すダウンリンクＵＴＲＡ（Universal Terrestrial Radio Access）アブソリュート無線周波数チャネル番号（ＤＬＵＡＲＦＣＮ）と、ＭＢＭＳサービスＩＤを示すＴＭＧＩ（Temporary MBMS Group Identify）から構成されることを特徴とする請求項９記載のＭＢＭＳサービス方法。
【請求項１１】
前記選好周波数情報は、無線リンクセットアップ応答メッセージに含まれることを特徴とする請求項９記載のＭＢＭＳサービス方法。
【請求項１２】
前記選好周波数情報は、無線リンク追加応答メッセージに含まれることを特徴とする請求項９記載のＭＢＭＳサービス方法。
【請求項１３】
前記無線リンク追加要請を受信すれば、サービスパケット無線サービス支援ノードに前記端末に対する前記ＭＢＭＳサービス登録を要請して、前記サービスに対するＭＢＭＳコンテクストを生成し、前記端末を前記ＭＢＭＳコンテクストに連結（link）させる過程を更に含むことを特徴とする請求項９記載のＭＢＭＳサービス方法。
【請求項１４】
前記選好周波数情報は、
前記ドリフト無線網制御器が制御するセルの中で、最も多く選好周波数に設定された周波数以外の選好周波数のみを含むことを特徴とする請求項９記載のＭＢＭＳサービス方法。
【請求項１５】
端末にマルチメディア放送／マルチキャストサービス（ＭＢＭＳサービス）を提供するサービング無線網制御器であって、
前記ＭＢＭＳサービスを受信しようとする端末のドリフト無線網制御器が制御するセルへの移動を感知し、前記端末が位置したセルが自身の管理するセルであるかどうかを確認する端末移動性管理部と、
前記端末の移動を感知し、前記ドリフト無線網制御器に前記端末に対する無線リンクの追加またはセットアップ要請メッセージを伝送し、前記端末が加入し、セッションが始まった少なくとも１つのＭＢＭＳサービスの各々に対する前記セルでの選好周波数帯域を示す選好周波数情報を含む応答メッセージを受信するインターフェース部と、
前記インターフェース部が受信した前記選好周波数情報を管理するＦＬＣ（周波数帯域収束）制御部と、
前記ＦＬＣ制御部が前記第２セルを管理するドリフト無線網制御器から受信した前記選好周波数情報を前記端末に伝送する無線資源制御送受信部と、
を含むことを特徴とするサービング無線網制御器。
【請求項１６】
前記選好周波数情報は、
少なくとも１つの前記ＭＢＭＳサービスの各々に対して選好周波数帯域を示すダウンリンクＵＴＲＡ（Universal Terrestrial Radio Access）アブソリュート無線周波数チャネル番号（ＤＬＵＡＲＦＣＮ）と、ＭＢＭＳサービスＩＤを示すＴＭＧＩ（Temporary MBMS Group Identify）から構成されることを特徴とする請求項１５記載のサービング無線網制御器。
【請求項１７】
前記端末移動性管理部は、
前記端末から周波数変更要請を受けて、前記要請された周波数へのハンドオーバーを遂行することを特徴とする請求項１５記載のサービング無線網制御器。
【請求項１８】
前記端末移動性管理部は、
前記ドリフト無線網制御器に前記端末に対する無線リンクが存在しなければ、前記ドリフト無線網制御器に前記端末に対する無線リンクのセットアップを要請することを特徴とする請求項１５記載のサービング無線網制御器。
【請求項１９】
前記端末移動性管理部は、
前記ドリフト無線網制御器に前記端末に対する無線リンクが存在すれば、前記ドリフト無線網制御器に前記端末に対する無線リンクの追加を要請することを特徴とする請求項１５記載のサービング無線網制御器。
【請求項２０】
前記無線資源制御送受信部は、
前記選好周波数情報を無線資源制御（ＲＲＣ）メッセージに含めて伝送することを特徴とする請求項１５記載のサービング無線網制御器。
【請求項２１】
端末に特定マルチメディア放送／マルチキャストサービス（ＭＢＭＳサービス）を提供するドリフト無線網制御器であって、
前記端末が前記ドリフト無線網制御器により制御されるセルに進入することにより、サービング無線網制御器から前記端末に対する無線リンクの追加またはセットアップ要請メッセージを受信し、前記端末が加入し、セッションが始まった少なくとも１つのＭＢＭＳサービスの各々に対する前記セルでの選好周波数帯域を示す選好周波数情報を含む応答メッセージを前記サービング無線網制御器に伝送するインターフェース部と、
前記選好周波数情報を含む端末コンテクストを管理する端末コンテクスト管理部と、
前記インターフェース部から前記端末に対する無線リンクのセットアップまたは追加要請を受信し、前記選好周波数情報を前記インターフェース部に伝達する無線リンク管理部と、
前記無線リンク管理部の要請によって前記端末に対する無線リンクをセットアップまたは追加し、前記無線リンクを介して前記端末に前記ＭＢＭＳサービス関連データを伝送する無線送受信部と、
を含むことを特徴とするドリフト無線網制御器。
【請求項２２】
前記選好周波数情報は、
少なくとも１つの前記ＭＢＭＳサービスの各々に対し、選好周波数帯域を示すダウンリンクＵＴＲＡ（Universal Terrestrial Radio Access）アブソリュート無線周波数チャネル番号（ＤＬＵＡＲＦＣＮ）と、ＭＢＭＳサービスＩＤを示すＴＭＧＩ（Temporary MBMS Group Identify）から構成されることを特徴とする請求項２１記載のドリフト無線網制御器。
【請求項２３】
前記選好周波数情報は、
前記ドリフト無線網制御器が制御するセルの中で、最も多く選好周波数として設定された周波数以外の選好周波数のみを含むことを特徴とする請求項２１記載のドリフト無線網制御器。
【請求項２４】
前記端末コンテクスト管理部は、
前記無線リンク追加要請を受信した前記無線リンク管理部の要請によって、前記端末に対するＭＢＭＳコンテクストを生成し、前記端末を前記ＭＢＭＳコンテクストに連結させることを特徴とする請求項２１記載のドリフト無線網制御器。
【発明の詳細な説明】
【技術分野】
【０００１】
本発明は、マルチメディア放送／マルチキャストサービス（Multimedia Broadcast／Multicast Service；以下、‘ＭＢＭＳ’と称する）に関し、特に特定周波数で特定ＭＢＭＳサービスが提供されるＦＬＣ（frequency layer convergence）状況下でセッション開始時に、ＣＥＬＬ＿ＤＣＨ（Dedicated Channel）状態の端末に選好周波数帯域に関する情報を知らせる方法に関する。
【背景技術】
【０００２】
最近、通信技術の発達によって、広帯域（Wide band）符号分割多重接続（Code Division Multiple Access；以下、‘ＣＤＭＡ’と称する）方式を使用する移動通信システムで提供するサービスは、従来の音声サービスだけでなく、大容量のデータを伝送するパケットサービス通信とマルチメディアサービスが伝送できるマルチメディア放送／通信に発展している。マルチメディア放送／通信を支援するために、１つ以上のマルチメディアデータソースから多数の使用者端末機（User Equipment；以下、‘ＵＥ’と称する）にサービスを提供するＭＢＭＳサービスが必要視されている。
【０００３】
ＭＢＭＳサービスとは、無線ネットワークを介して同一なマルチメディアデータを多数の受信者に伝送するサービスを通称する。この際、多数の受信者が１つの無線チャネルを共有することで無線伝送資源を節約することができる。このようなＭＢＭＳサービスは、リアルタイム映像及び音声、静止画像、文字情報などのマルチメディア伝送形態に対応し、マルチメディア伝送形態によって音声データと映像データが同時に提供できるサービスであるため、大量の伝送資源を必要とする。ＭＢＭＳサービスの場合は、使用者が位置している多数のセルに同一なデータを伝送しなければならないので、セル毎に存在する使用者の数によって一対一（Point to Point；以下、‘ＰｔＰ’と称する）、または一対多（Point to Multiple；以下、‘ＰｔＭ’と称する）接続がなされる。
【０００４】
図１は、移動通信ネットワークにおいて、ＭＢＭＳサービスに参加するノードを概略的に示す図である。ここでは、ＧＳＭ（Global System for Mobile Communications）とＧＰＲＳ（General Packet Radio Services）を基盤とする第３世代の非同期移動通信方式の標準である３ＧＰＰ（3rd Generation Partnership Project）システムにＭＢＭＳサービスを適用した構成例を図示した。
図１を参照すれば、ＵＥ１６１、１６２、１６３、１７１、１７２は、ＭＢＭＳサービスを受信することができる端末装置あるいは加入者を意味し、セル（１）１６０とセル（２）１７０は、加入者にＭＢＭＳ関連データを無線伝送するノードＢにより制御される物理的または論理的なサービス領域を示す。無線網制御器（Radio Network Controller；以下、‘ＲＮＣ’と称する）１４０は、上記複数のセル１６０、１７０を制御し、ＭＢＭＳ関連データを特定セルに選別的に伝送し、ＭＢＭＳサービスを提供するために設定されている無線チャネルを制御する。ＲＮＣ１４０とＵＥ１６１乃至１７２との間の接続は、無線資源制御（Radio Resource Control；以下、‘ＲＲＣ’と称する）インターフェースで連結される。
【０００５】
ＲＮＣ１４０は、サービスパケット無線サービス支援ノード（Serving GPRS Support Node；以下、‘ＳＧＳＮ’と称する）１３０により、インターネットなどのようなパケット交換サービス（Packet Switched or Packet Service；以下、‘ＰＳ’と称する）ネットワーク（図示していない）に接続される。ＲＮＣ１４０とＰＳネットワークとの間の通信は、パケット交換シグナリング（Packet Switched Signaling PS Signaling）によりなされる。特に、ＲＮＣ１４０とＳＧＳＮ１３０との間の接続は、Ｉｕ−ＰＳインターフェースと称する。ＳＧＳＮ１３０は各加入者のＭＢＭＳ関連サービスを制御する。ＳＧＳＮ１３０が担当する代表的な役割には、各加入者のサービス課金関連データを管理する役割とマルチメディアデータを特定ＲＮＣ１４０に選別的に伝送する役割などがある。
【０００６】
伝送ネットワーク（Transit Network）１２０は、放送−マルチキャストサービスセンター（Broadcast Multicast Service Center；以下、‘ＢＭ−ＳＣ’と称する）１１０とＳＧＳＮ１３０との間の通信路を提供し、ゲートウェイパケット無線サービス支援ノード（Gateway GPRS Support Node；以下、‘ＧＧＳＮ’と称する。図示していない）を介して外部網に連結が可能である。上記ＢＭ−ＳＣ１１０は、ＭＢＭＳデータソースであり、ＭＢＭＳデータのスケジューリングの責任を負っている。
一方、上記ＲＮＣ１４０は、移動通信交換局（Mobile Switching Center；以下、‘ＭＳＣ’と称する）１５０により回線交換（Circuit Switched；以下、‘ＣＳ’と称する）ネットワーク（図示していない）に連結される。上記ＣＳネットワークは、有線接続による音声通信が中心の既存（legacy）通信ネットワークを意味する。上記ＲＮＣ１４０とＭＳＣ１５０との間の通信は、回線交換シグナリング（Circuit Switched Signaling：CS Signaling）によりなされる。特に、ＲＮＣ１４０とＭＳＣ１５０との間の接続は、Ｉｕ−ＣＳインターフェースと称する。
【０００７】
上記ＢＭ−ＳＣ１１０から発生したＭＢＭＳデータストリームは、伝送ネットワーク１２０、ＳＧＳＮ１３０、ＲＮＣ１４０、ノードＢ及びセル１６０、１７０を経て、ＵＥ１６１、１６２、１６３、１７１及び１７２に至る。
図示してはいないが、１つのＭＢＭＳサービスに対し、複数のＳＧＳＮと各ＳＧＳＮに対する複数のＲＮＣが存在することができる。各ＳＧＳＮは複数のＲＮＣに、各ＲＮＣは複数の各セルに、選別的なデータ伝送を行い、このためにデータストリームを伝達しなければならない下位ノードのリスト（すなわち、ＳＧＳＮの場合はＲＮＣのリスト、ＲＮＣの場合はセルのリスト）などを格納して、以後、格納されているノードのみに選別的なＭＢＭＳデータ伝送を行う。
ＭＢＭＳシステムでは、提供可能なＭＢＭＳサービスの各々に対して、より好ましい周波数（以下、選好周波数帯域（ＰＦＬ）と称する）を割り当て、ＭＢＭＳサービスを用いるＵＥは、できる限り選好周波数帯域で希望するＭＢＭＳサービスを受信することができるようにするＦＬＣ（Frequency Layer Convergence）技術を支援している。ＦＬＣ情報、すなわち選好周波数帯域情報は、ＭＢＭＳサービスに対して対応する選好周波数を指示する。
【０００８】
図２は、ＭＢＭＳシステムのＦＬＣ状況下でのセル構成の一例を示す図である。
図２を参照すれば、互いに異なる周波数（Frequency 1、Frequency 2、Frequency 3）を使用する３つのセル２２１、２２２、２２３が空間的に重複しており、ＭＢＭＳサービスのセッションが始まる以前に上記セル２２１乃至２２３には、複数のＵＥ２１１、２１２、２１３、２１４が留まっている。図２では、上記セル２２１乃至２２３のうち、セル（２）２２２がＭＢＭＳサービスの選好周波数帯域として設定されている。
【０００９】
コアネットワーク（core Network；以下、‘ＣＮ’と称する）ノード２０１は、ＢＭ−ＳＣ、伝送ネットワーク、ＭＳＣ、ＳＧＳＮなどを簡略に表示したものである。上記セル２２１乃至２２３を管理するＲＮＣ（１）２０２、ＲＮＣ（２）２０３は、ＣＮノード２０１に連結されている。ＣＮノード２０１とＲＮＣ２０２、２０３を連結する有線通信路２３１はＩｕインターフェース、ＲＮＣ（１）２０２とＲＮＣ（２）２０３を連結する有線通信路２３２はＩｕｒインターフェースと称する。ここで、上記セル２２１乃至２２３を直接管理する役割を果たし、ＲＮＣ（２）２０３とＵＥ２１１乃至２１４との間に存在するノードＢは省略する。また、ＲＮＣ（２）２０３を、ＵＥ２１１乃至２１４が位置するセル２２１乃至２２３を直接管理するドリフト（Drift）ＲＮＣ（以下、‘ＤＲＮＣ’と称する）と称し、ＲＮＣ（１）２０２を、ＵＥ２１１乃至２１４の無線資源を制御するサービングＲＮＣ（以下、‘ＳＲＮＣ’と称する）と称する。
【００１０】
一般に、専用チャネル（Dedicated Channel；以下、‘ＤＣＨ’と称する）を有するＣｅｌｌ＿ＤＣＨ状態のＵＥは、ＦＬＣ情報が運搬されるＭＢＭＳ制御チャネル（MBMS control channel；以下、‘ＭＣＣＨ’と称する）を読取らない。したがって、ＵＥが１つのセルから他のセルに移動する際、ＵＥは移動したセルで‘ＵＥが加入（join）し、セッションが始まったＭＢＭＳサービス’（以下、‘ＵＥ−関連サービス’と称する）に対して設定された選好周波数帯域に関する情報を持たないので、ＭＢＭＳサービスの連続的な受信が不可能になる問題点が発生することになる。
【発明の開示】
【発明が解決しようとする課題】
【００１１】
前述したように動作する従来技術の問題点を解決するために発案した本発明は、専用チャネルを有するＵＥが新たなセルに移動する際、ＳＲＮＣが新たなセルでのＵＥ−関連サービスに対する選好周波数帯域情報をＵＥに伝達してくれる方法及び装置を提供することをその目的とする。
また、本発明の他の目的は、ＣＥＬＬ＿ＤＣＨ ＵＥが自身の管理するセルに移動してきた時、これを認知したＤＲＮＣがセルでのＵＥ−関連サービスに対する選好周波数帯域情報をＵＥのＳＲＮＣに明示的に知らせてくれる方法及び装置を提供することにある。
【００１２】
また、本発明の更に他の目的は、ＤＲＮＣがＣＥＬＬ＿ＤＣＨ ＵＥが受信しようとするＵＥ−関連サービスの選好周波数帯域情報をＳＲＮＣに伝達する際に、Ｉｕｒ上のＵＥ専用シグナリングベアラーを使用する方法及び装置を提供することにある。
また、本発明の更に他の目的は、特定のＵＥ−関連サービスの選好周波数情報を認知したＳＲＮＣが専用チャネルを用いるＵＥに選好周波数情報を明示的に知らせてくれて、ＵＥが周波数帯域を移るかどうかを判断できるようにする方法及び装置を提供することにある。
【課題を解決するための手段】
【００１３】
本発明の実施形態は、サービング無線網制御器（ＳＲＮＣ）が端末にマルチメディア放送／マルチキャストサービス（ＭＢＭＳサービス）を提供する方法であって、ＭＢＭＳサービスを受信しようとする端末の第１セルから第２セルへの移動を感知する過程と、第２セルを制御するドリフト無線網制御器（ＤＲＮＣ）に端末に対する無線リンクの追加またはセットアップを要請する過程と、端末に対する無線リンクの追加またはセットアップ作業が済んだドリフト無線網制御器から、端末が加入し、セッションが始まった少なくとも１つのＭＢＭＳサービスの各々に対する選好周波数帯域を示す選好周波数情報を受信する過程と、受信した選好周波数情報を端末に伝送する過程と、を含むことを特徴とする。
【００１４】
また、本発明の実施形態は、ドリフト無線網制御器が端末にマルチメディア放送／マルチキャストサービス（ＭＢＭＳサービス）を提供する方法であって、ＭＢＭＳサービスを受信中の端末がドリフト無線網制御器により制御されるセルに進入することによって、サービング無線網制御器から端末に対する無線リンクの追加またはセットアップ要請を受信する過程と、端末が加入し、セッションが始まった少なくとも１つのＭＢＭＳサービスの各々に対するセルでの選好周波数帯域を示す選好周波数情報を確認する過程と、選好周波数情報をサービング無線網制御器に伝送する過程と、を含むことを特徴とする。
【００１５】
また、本発明の実施形態は、端末にマルチメディア放送／マルチキャストサービス（ＭＢＭＳサービス）を提供するサービング無線網制御器であって、ＭＢＭＳサービスを受信しようとする端末のドリフト無線網制御器が制御するセルへの移動を感知し、端末が位置したセルが自身の管理するセルであるかどうかを確認する端末移動性管理部と、端末の移動を感知し、ドリフト無線網制御器に端末に対する無線リンクの追加またはセットアップ要請メッセージを伝送し、端末が加入し、セッションが始まった少なくとも１つのＭＢＭＳサービスの各々に対するセルでの選好周波数帯域を示す選好周波数情報を含む応答メッセージを受信するインターフェース部と、インターフェース部が受信した選好周波数情報を管理するＦＬＣ（周波数帯域収束）制御部と、ＦＬＣ制御部が第２セルを管理するドリフト無線網制御器から受信した選好周波数情報を端末に伝送する無線資源制御送受信部と、を含むことを特徴とする。
【発明の効果】
【００１６】
以上、詳述したように動作する本発明において、開示される発明のうち、代表的なものにより得られる効果を簡単に説明すれば、次の通りである。
本発明は、ＭＢＭＳを受信するＣＥＬＬ＿ＤＣＨ状態のＵＥが他のセルに移動する場合、ＳＲＮＣがＵＥに専用制御チャネルを介してＵＥが移動したセルでＵＥ−関連ＭＢＭＳサービスの選好周波数情報を知らせてくれることができる。
また、本発明は、ＭＢＭＳを受信するＣｅｌｌ＿ＤＣＨ状態のＵＥのＤＲＮＣとＳＲＮＣが異なる場合に、ＤＲＮＣからＳＲＮＣにＵＥ−関連サービスの選好周波数帯域に関する情報を伝達することにより、ＳＲＮＣが選好周波数帯域情報をＵＥに伝送することができる。したがって、移動したセルでもＵＥがＭＢＭＳサービスを連続して受信することができる。
【発明を実施するための最良の形態】
【００１７】
以下、添付の図面に基づき、本発明の好適な実施形態についての動作原理を詳細に説明する。なお、本発明を説明するに当たり、関連のある公知の技術あるいは構成についての具体的な説明が本発明の要旨を余計に曖昧にする恐れがあると認められる場合は、その詳細な説明を省略する。さらに、後述する用語は本発明における機能を考慮して定義された用語であり、これらはユーザ、運用者の意図または慣例などによって変わることがある。従って、これらの用語の定義は、この明細書の全般に亘っての内容に基づいて行われるべきである。
本発明の主な要旨は、専用チャネルを有するＵＥ、すなわち、Ｃｅｌｌ＿ＤＣＨ状態のＵＥがセル移動時にもＭＢＭＳセッションを連続して受信するようにするために、ＳＲＮＣはＵＥ−関連サービスの選好周波数帯域情報を専用チャネルを介してＵＥに伝達し、また、ＤＲＮＣとＳＲＮＣが異なる場合は、ＤＲＮＣがＵＥの位置するセルでの選好周波数帯域に関する情報をＳＲＮＣに伝達してくれる。ここで、ＵＥ−関連サービスとは、具体的にＵＥが加入し、セッションが始まった、すなわち受信しようとするＭＢＭＳサービスを意味する。
【００１８】
図３は、本発明の好ましい実施形態に係るＲＮＣとＵＥとの間のメッセージの流れの一例を示す図である。
図３を参照すれば、ステップ３１０において、ＵＥ３０３はＳＧＳＮ３００にＮＡＳ（Non-Access Stratum）メッセージを伝送することにより、特定のＭＢＭＳサービスに加入（Joining）する過程を遂行し、上記ＳＧＳＮ３００は、ＤＲＮＣ３０１とＳＲＮＣ３０２にＭＢＭＳサービスのセッションが開始されたことを知らせてくれるＭＢＭＳセッション開始（MBMS Session start）過程に進行する。これによって、ＭＢＭＳサービスが各セルで提供され始める。ステップ３１１において、ＵＥ３０３は専用チャネルを有しているＣｅｌｌ＿ＤＣＨ状態でＤＲＮＣ３０１が管理するセルでＭＢＭＳサービスＳ１とＳ２を同時に受信しており、ステップ３１２に示すように、ＤＲＮＣ３０１は、ＵＥ３０３が加入したＭＢＭＳサービスを示すＵＥコンテクスト（context）を既に有している。
【００１９】
次に、上記ＵＥ３０３は、ＤＲＮＣ３０１が管理するセルにおいて、ＤＲＮＣ３０１が管理する更に他のセルに移動するイントラ（Intra）−ＤＲＮＣ移動（mobility）が発生すれば、ステップ３１３において、ＳＲＮＣ３０２は、ＵＥ３０３の移動を感知し、ステップ３２０において、ＳＲＮＣ３０２は、‘ＲＬ ＡＤＤＩＴＩＯＮ ＲＥＱＵＥＳＴ’メッセージを通じてＤＲＮＣ３０１に新たなセルへ無線リンク（radio link）の追加を要請する。
【００２０】
‘ＲＬ ＡＤＤＩＴＩＯＮ ＲＥＱＵＥＳＴ’メッセージを受けたＤＲＮＣ３０１は、ステップ３３０において、ＵＥコンテクストからＵＥ３０３が移動しようとするセルでＵＥ−関連サービスに対して設定された選好周波数帯域をチェックし、チェックされた選好周波数帯域を示す選好周波数情報を‘ＲＬ ＡＤＤＩＴＩＯＮ ＲＥＳＰＯＮＳＥ’あるいは‘ＲＬ ＡＤＤＩＴＩＯＮ ＦＡＩＬＵＲＥ’メッセージに乗せてＳＲＮＣ３０２に伝送する。この際、‘ＲＬ ＡＤＤＩＴＩＯＮ ＲＥＱＵＥＳＴ’メッセージにより新たなセルからＵＥへの無線リンクを追加することに成功すれば、‘ＲＬ ＡＤＤＩＴＩＯＮ ＲＥＳＰＯＮＳＥ’メッセージを伝送し、失敗すれば、‘ＲＬ ＡＤＤＩＴＩＯＮ ＦＡＩＬＵＲＥ’メッセージを伝送する。図３では、セル内で、サービスＳ１に対しては周波数Ｆ１が、サービスＳ２に対しては周波数Ｆ２が選好周波数として設定された状況と仮定する。したがって、選好周波数情報は、‘Ｓ１−Ｆ１’及び‘Ｓ２−Ｆ２’を含む。
【００２１】
ＤＲＮＣ３０１から‘ＲＬ ＡＤＤＩＴＩＯＮ ＲＥＳＰＯＮＳＥ’メッセージが受信された場合であれば、ＵＥ−関連サービスの選好周波数情報を受けたＳＲＮＣ３０２は、ステップ３４０において、専用制御チャネル（ＤＣＣＨ）を介して伝送されるＲＲＣメッセージに選好周波数情報を乗せてＵＥ３０３に伝達する。この際、ＲＲＣメッセージとして‘ＭＢＭＳ ＭＯＤＩＦＩＥＤ ＳＥＲＶＩＣＥ ＩＮＦＯＲＭＡＴＩＯＮ’メッセージ、または、‘ＭＢＭＳ ＦＬＣ ＩＮＦＯＲＭＡＴＩＯＮ’メッセージを使用することができる。‘ＭＢＭＳ ＭＯＤＩＦＩＥＤ ＳＥＲＶＩＣＥ ＩＮＦＯＲＭＡＴＩＯＮ’メッセージは、１つのセルでＭＢＭＳセッションが始まった場合やチャネル情報などが変わる時のみに使われていたメッセージであって、本発明でメッセージはＵＥが移動した新たなセルの選好周波数情報などをＣＥＬＬ＿ＤＣＨ状態のＵＥに明示的に知らせてくれることを必要とする時に使われる。
【００２２】
ＵＥ−関連サービスの選好周波数情報を伝達受けたＵＥ３０３は、ステップ３５０において、選好周波数帯域情報を参照して、ＵＥ３０３のサービス選好度（priority）により、希望するサービス及び該当選好周波数帯域を選択する。上記ＵＥ３０３が受信する選好周波数帯域を変更する場合、ステップ３６０において、‘ＭＢＭＳ ＭＯＤＩＦＩＣＡＴＩＯＮ ＲＥＱＵＥＳＴ’メッセージに選択したサービスＩＤ、または選好周波数情報（ここでは、Ｓ１またはＦ１と例示される）を乗せてＳＲＮＣ３０２に伝達し、ステップ３７０において、ＳＲＮＣ３０２が、ハードハンドオーバー手順を通じてＵＥ３０３を選択した選好周波数帯域Ｆ１に移動させる。
【００２３】
図４は、本発明の更に他の実施形態に係るＲＮＣとＵＥとの間のメッセージの流れを示す図である。
図４を参照すれば、ステップ４１０において、ＵＥ４０３は、ＳＧＳＮ４００にＮＡＳ（Non-Access Stratum）メッセージを伝送することによって、特定のＭＢＭＳサービスに加入（Joining）する過程を遂行し、ＳＧＳＮ４００は、ＤＲＮＣ４０１とＳＲＮＣ４０２にＭＢＭＳサービスのセッションが始めたとのことを知らせてくれるＭＢＭＳセッション開始（MBMS Session start）過程に進行する。これによって、ＭＢＭＳサービスが各セルで提供され始める。
【００２４】
ステップ４１１において、ＵＥ４０３は専用チャネルを有しているＣｅｌｌ＿ＤＣＨ状態でＤＲＮＣ４０１が管理するセルでＭＢＭＳサービスＳ１とＳ２を同時に受信している。図４の実施形態では、ＵＥ４０３がＤＲＮＣ４０１の管理するセルに初めて移動したインター（Inter）−ＲＮＣ移動（Mobility）状態であると仮定し、したがって、ステップ４１２において、上記ＤＲＮＣ４０１は、ＵＥ４０３が加入したＭＢＭＳサービスを示すＵＥコンテクストを有していない。
したがって、ステップ４１３において、ＳＲＮＣ４０２は、ＵＥ４０３のインター−ＲＮＣ移動を感知すれば、ステップ４２０において、ＳＲＮＣ４０２は、‘ＲＬ ＳＥＴＵＰ ＲＥＱＵＥＳＴ’メッセージをＤＲＮＣ４０１に送る。この際、上記ＳＲＮＣ４０２は、ＵＥ４０３が加入したＭＢＭＳサービスのリストを共に伝達し、ＤＲＮＣ４０１は、ＵＥコンテクスト生成の際、ＭＢＭＳサービスリストをＵＥコンテクストに格納する。図４では図示してはいないが、ＤＲＮＣ４０１にＵＥ４０３が加入したＭＢＭＳサービスに対するＭＢＭＳコンテクストのない場合、ＭＢＭＳコンテクストをＳＧＳＮ４００に要求するサービス登録過程とＵＥ４０３をＭＢＭＳコンテクストに連結させる接続（Attach）過程を遂行する。
【００２５】
次に、ステップ４３０において、ＤＲＮＣ４０１は、‘ＲＬ ＳＥＴＵＰ ＲＥＳＰＯＮＳＥ’、あるいは、‘ＲＬ ＳＥＴＵＰ ＦＡＩＬＵＲＥ’メッセージにＵＥ４０３が移動しようとするセルで、各ＵＥ−関連サービスに対して設定された選好周波数情報を乗せてＳＲＮＣ４０２に伝達する。
ＤＲＮＣ４０１から‘ＲＬ ＳＥＴＵＰ ＲＥＳＰＯＮＳＥ’メッセージが受信された場合であれば、ＵＥ−関連サービスの選好周波数情報を受けたＳＲＮＣ４０２は、ステップ４４０において、専用制御チャネル（ＤＣＣＨ）を介して伝送されるＲＲＣメッセージに選好周波数情報を乗せてＵＥ４０３に伝達する。この際、ＲＲＣメッセージとして、‘ＭＢＭＳ ＭＯＤＩＦＩＥＤ ＳＥＲＶＩＣＥ ＩＮＦＯＲＭＡＴＩＯＮ’メッセージ、または‘ＭＢＭＳ ＦＬＣ ＩＮＦＯＲＭＡＴＩＯＮ’メッセージを使用することができる。‘ＭＢＭＳ ＭＯＤＩＦＩＥＤ ＳＥＲＶＩＣＥ ＩＮＦＯＲＭＡＴＩＯＮ’メッセージは、ＵＥが移動した新たなセルの選好周波数情報などをＣＥＬＬ＿ＤＣＨ状態のＵＥに明示的に知らせてくれる必要がある時に使われる。
【００２６】
ＵＥ−関連サービスの選好周波数情報を伝達されたＵＥ４０３は、ステップ４５０において、選好周波数情報を参照して、ＵＥ４０３のサービス選好度（priority）によって希望するサービス及び該当選好周波数帯域を選択する。もし、上記ＵＥ４０３が選好周波数を変更する場合には、ステップ４６０において、‘ＭＢＭＳ ＭＯＤＩＦＩＣＡＴＩＯＮ ＲＥＱＵＥＳＴ’メッセージに選択したサービスＩＤ、あるいは、該当選好周波数を乗せてＳＲＮＣ３０２に伝達した後、ステップ４７０において、ＳＲＮＣ４０２がハードハンドオーバー手順を通じてＵＥ４０３を選択した選好周波数Ｆ１に移動させる。
【００２７】
下記の表１は、ステップ３３０とステップ４３０の‘ＲＬ ＡＤＤＩＴＩＯＮ ＲＥＳＰＯＮＳＥ／ＦＡＩＬＵＲＥ’、‘ＲＬ ＳＥＴＵＰ ＲＥＳＰＯＮＳＥ／ ＦＡＩＬＵＲＥ’メッセージ及びステップ３４０とステップ４４０の‘ＭＢＭＳ ＦＬＣ ＩＮＦＯＲＭＡＴＩＯＮ’メッセージに乗せる項目である‘ＭＢＭＳ ＦＬＣ ＩＮＦＯＲＭＡＴＩＯＮ ＩＥ’の一例である。
‘ＭＢＭＳ ＦＬＣ ＩＮＦＯＲＭＡＴＩＯＮ ＩＥ’には、各ＵＥ−関連ＭＢＭＳサービス毎にダウンリンクＵＴＲＡ（Universal Terrestrial Radio Access）絶対選好周波数チャネルナンバー（DownLink UTRA absolute Radio Frequency Channel Number；以下、‘ＤＬ ＵＡＲＦＣＮ’と称する）と、ＭＢＭＳサービスＩＤを示すＴＭＧＩ（Temporary MBMS Group Identify）が含まれる。ここで、ＤＬ ＵＡＲＦＣＮは周波数帯域を意味する。
【００２８】
‘ＭＢＭＳ ＦＬＣ ＩＮＦＯＲＭＡＴＩＯＮ ＩＥ’は、‘ＲＬ ＡＤＤＩＴＩＯＮ ＲＥＳＰＯＮＳＥ／ＦＡＩＬＵＲＥ’、‘ＲＬ ＳＥＴＵＰ ＲＥＳＰＯＮＳＥ／ＦＡＩＬＵＲＥ’メッセージ及び‘ＭＢＭＳ ＦＬＣ ＩＮＦＯＲＭＡＴＩＯＮ’メッセージを通じてＳＲＮＣとＵＥに伝送される。この際、メッセージの大きさの最適化のために、ＤＲＮＣにより管理され、Ｃｅｌｌ＿ＤＣＨ端末が位置するセルの中で最も多くのセルが選好周波数として設定した周波数は、‘ＭＢＭＳ ＦＬＣ ＩＮＦＯＲＭＡＴＩＯＮ ＩＥ’から除外することができる。
【００２９】
【表１】
2008524955.tif 000003
【００３０】
下記、表２は、ステップ３４０とステップ４４０で使われるＲＲＣメッセージである‘ＭＢＭＳ ＦＬＣ ＩＮＦＯＲＭＡＴＩＯＮ’の例である。ここで、‘ＭＢＭＳ ＦＬＣ ＩＮＦＯＲＭＡＴＩＯＮ’メッセージは、ＦＬＣが適用されるセルのＩＤと、上記表１の‘ＭＢＭＳ ＦＬＣ Ｉｎｆｏｒｍａｔｉｏｎ ＩＥ’を含み、専用チャネルを用いるＲＲＣに送信される。
【００３１】
【表２】
2008524955.tif 000004
【００３２】
図５は、本発明の好ましい実施形態に係るＳＲＮＣの構成を示す図である。
図５に示すように、本発明の好ましい実施形態に係るＳＲＮＣ５００は、ＵＥ移動性管理部５１０、ＦＬＣ制御部５２０、ＲＲＣ送受信部５３０及びＩｕｒインターフェース部５４０を含む。
ＵＥ移動性管理部５１０は、ＵＥ５０１の移動を感知し、ＵＥ５０１が自身の管理するセルに位置するかどうかを判断し、ＵＥ５０１が他のセルへの移動を要請した場合に、ＵＥ５０１に対するハンドオーバーを遂行し、ＤＲＮＣ５０２にＵＥ５０１に対する無線リンクをセットアップ、または、追加するための動作を遂行する。ＦＬＣ制御部５１２は、ＵＥのＵＥ−関連サービスに対する選好周波数情報を管理し、ＵＥ５０１のＦＬＣ動作を制御する。ＲＲＣ送受信部５３０は、ＲＲＣメッセージをＵＥ５０１との間に送受信する。Ｉｕｒインターフェース部５４０は、ＳＲＮＣ５００とＤＲＮＣ５０２との間のインターフェースを担当する。
【００３３】
図６は、図５のような構成を有する本発明の好ましい実施形態に係るＳＲＮＣの動作手順を示す図である。
図６を参照すれば、ＵＥ移動性管理部５１０は、ステップ６１０において、ＵＥ５０１の新たなセルへの移動を感知すれば、ステップ６２０において、Ｉｕｒインターフェース部５４０を介してＤＲＮＣ５０２と通信してＵＥ５０１が移動したセルが自身の管理するセルであるかどうかを判断する。判断の結果、上記ＵＥ５０１が自身の管理するセルに移動した場合は、ステップ６３０において、ＦＬＣ制御部５１２はＵＥ５０１の全てのＵＥ−関連サービスに対する選好周波数情報を確認する。
確認の結果、ＵＥ−関連サービスに対する全ての選好周波数帯域がＵＥ５０１の移動したセルで使用する周波数帯域と一致すれば、何の作業もなしに全ての過程を終了し、一方、確認の結果、選好周波数帯域中の１つでもセルが使用する周波数帯域と異なる場合はステップ６８０に進行する。
【００３４】
ステップ６８０において、ＲＲＣ送受信部５１２は、専用制御チャネルを用いるＲＲＣメッセージを通じてＵＥ５０１にＵＥ−関連サービスの選好周波数帯域に対する選好周波数情報を知らせてくれる。この際、ＲＲＣメッセージとしては、‘ＭＢＭＳ ＭＯＤＩＦＩＥＤ ＳＥＲＶＩＣＥ ＩＮＦＯＲＭＡＴＩＯＮ’、あるいは、‘ＭＢＭＳ ＦＬＣ ＩＮＦＯＲＭＡＴＩＯＮ’メッセージを使用することができる。
【００３５】
一方、ステップ６２０の判断結果、上記ＵＥ５０１が自身の管理するセルでない他のＤＲＮＣが管理するセルに移動した場合は、ステップ６４０において、ＵＥ移動性管理部５１０はＤＲＮＣ５０２にＵＥ５０１に対する無線リンクが存在するかどうかを確認する。確認の結果、上記ＤＲＮＣ５０２にＵＥ５０１に対する無線リンクが存在しなければ、すなわち上記ＵＥ５０１はＤＲＮＣ５０２が管理するセルに初めて移動したのならば、ステップ６５０において、ＵＥ移動性管理部５１０は、Ｉｕｒインターフェース部５４０を介してＤＲＮＣ５０２に無線リンク設定を要請する‘ＲＬ ＳＥＴＵＰ ＲＥＱＵＥＳＴ’メッセージを伝送する。
一方、確認の結果、ＤＲＮＣ５０２にＵＥ５０１に対する無線リンクが存在すれば、ステップ６６０において、ＵＥ移動性管理部５１０は、Ｉｕｒインターフェース部５４０を介してＤＲＮＣ５０２に無線リンク追加を要請する‘ＲＬ ＡＤＤＩＴＩＯＮ ＲＥＱＵＥＳＴ’メッセージを伝送する。ステップ６７０において、Ｉｕｒインターフェース部５４０を介してＤＲＮＣ５０１から‘ＲＬ ＳＥＴＵＰ／ＡＤＤＩＴＩＯＮ ＲＥＳＰＯＮＳＥ／ＦＡＩＬＵＲＥ’メッセージが受信されれば、ＦＬＣ制御部５２０は、受信された‘ＳＥＴＵＰ／ＡＤＤＩＴＩＯＮ ＲＥＳＰＯＮＳＥ／ＦＡＩＬＵＲＥ’メッセージにＦＬＣ情報を含む‘ＭＢＭＳ ＦＬＣ ＩＮＦＯＲＭＡＴＩＯＮ ＩＥ’が存在するかどうかを確認する。
【００３６】
確認の結果、‘ＭＢＭＳ ＦＬＣ ＩＮＦＯＲＭＡＴＩＯＮ ＩＥ’が存在すれば、ステップ６８０において、上記ＦＬＣ制御部５２０は、ＲＲＣ送受信部５３０を通じてＦＬＣ情報をＲＲＣメッセージに乗せてＵＥ５０１に伝達する。一方、確認の結果、‘ＭＢＭＳ ＦＬＣ ＩＮＦＯＲＭＡＴＩＯＮ ＩＥ’が存在しなければ、ＳＲＮＣ５００は何の作業もなしに全ての過程を終了する。
【００３７】
図７は、本発明の好ましい実施形態に係るＤＲＮＣの構成を示す図である。
図７を参照すれば、本発明の好ましい実施形態に係るＤＲＮＣ７００は、ＵＥコンテクスト管理部７１０、無線リンク管理部７２０、無線送受信部７２０及びＩｕｒインターフェース部７４０を含む。
ＵＥコンテクスト管理部７１０は、ＵＥ７０１に関連した情報を含むＵＥコンテクストを管理する。特に、ＵＥコンテクストは、ＵＥ５０１が加入したＭＢＭＳサービスのＩＤと、ＭＢＭＳサービスの選好周波数帯域を示す選好周波数情報を含むことができる。無線リンク管理部７２０は、Ｉｕｒインターフェース部７４０を介してＳＲＮＣ７０２から‘ＲＬ ＳＥＴＵＰ／ＡＤＤＩＴＩＯＮ ＲＥＱＵＥＳＴ’メッセージを受信し、これに対する応答に、‘ＲＬ ＲＥＳＰＯＮＳＥ／ＦＡＩＬＵＲＥ’メッセージをＩｕｒインターフェース部７４０を介してＳＲＮＣ７０２に伝送する。無線送受信部７３０は、‘ＲＬ ＳＥＴＵＰ／ＡＤＤＩＴＩＯＮ ＲＥＱＵＥＳＴ’メッセージを受信した無線リンク管理部７２０の要請によってＵＥ７０１に対する無線リンクを設定、または追加し、無線リンクを介してＵＥ７０１にＭＢＭＳサービス関連データを提供する。
【００３８】
図８は、図７のような構成を有する本発明の好ましい実施形態に係るＤＲＮＣの動作手順を示す図である。
図８を参照すれば、ステップ８１０において、無線リンク管理部７２０は、Ｉｕｒインターフェース部７４０を介してＳＲＮＣ７０２から‘ＲＬ ＳＥＴＵＰ／ＡＤＤＩＴＩＯＮ ＲＥＱＵＥＳＴ’メッセージを受信し、ステップ８２０において、ＵＥコンテクスト管理部７１０に格納されたＵＥコンテクストを通じて無線リンクを設定、または追加しようとするセルのＵＥ−関連サービスに対する選好周波数情報を確認する。
【００３９】
ステップ８３０において、上記無線リンク管理部７２０は、ＵＥ−関連サービスに対する全ての選好周波数帯域がセルが使用する周波数帯域と一致するかどうかを判断する。判断結果が一致すればステップ８５０に進行し、ステップ８５０において、無線送受信部７３０を通じてＵＥ７０１に対する無線リンクを設定、または、追加した後に、その結果を示す‘ＲＬ ＲＥＳＰＯＮＳＥ／ＦＡＩＬＵＲＥ’メッセージを生成し、Ｉｕｒインターフェース部７４０を介してＳＲＮＣ７０２に伝送する。
判断の結果、選好周波数帯域中のどれか１つでもセルが使用する周波数帯域と一致しないと、ステップ８４０において、上記無線リンク管理部７２０は、無線送受信部７３０を通じてＵＥ７０１に対する無線リンクを設定、または追加した後、上記表１のような選好周波数情報を‘ＲＬ ＲＥＳＰＯＮＳＥ／ＦＡＩＬＵＲＥ’メッセージに乗せてＩｕｒインターフェース部７４０を介してＳＲＮＣ７０２に伝送する。
【００４０】
図９は、本発明の好ましい実施形態に係るＵＥ動作の一例を示す図である。
図９を参照すれば、ステップ９１０において、ＵＥが専用チャネルを介してＳＲＮＣから伝送されるＲＲＣメッセージである‘ＭＢＭＳ ＦＬＣ ＩＮＦＯＲＭＡＴＩＯＮ’、あるいは、‘ＭＢＭＳ ＭＯＤＩＦＩＥＤ ＳＥＲＶＩＣＥ ＩＮＦＯＲＭＡＴＩＯＮ’メッセージを受信する。この際、‘ＭＢＭＳ ＦＬＣ ＩＮＦＯＲＭＡＴＩＯＮ’、あるいは、‘ＭＢＭＳ ＭＯＤＩＦＩＥＤ ＳＥＲＶＩＣＥ ＩＮＦＯＲＭＡＴＩＯＮ’メッセージは、選好周波数に対する情報を含む。ステップ９２０において、ＵＥは上記メッセージに含まれた選好周波数情報を確認して、ＵＥ関連サービスの選好周波数帯域、あるいは選好ＭＢＭＳサービスを選択する。
【００４１】
ステップ９３０において、ＵＥは、選択されたサービスの選好周波数が現在受信中の周波数と一致するかどうかを確認する。確認の結果、一致しなければ、ステップ９４０において、ＵＥは選択された選好周波数帯域、あるいはＭＢＭＳサービスに対する情報を専用制御チャネルを用いるＲＲＣメッセージを通じてＳＲＮＣに知らせてくれる。一方、確認の結果、選択されたサービスの選好周波数が現在セルの周波数と同一であれば、ＵＥは全ての作業を終了する。
【００４２】
以上、本発明の詳細な説明の欄においては具体的な実施形態について詳述したが、本発明はこれに限定されるものではなく、本発明の範囲を逸脱しない限り、各種の実施形態が提供可能である。よって、本発明の真の技術的な範囲は上述の実施形態によって定まるものではなく、特許請求の範囲とその等価物によって定まるべきである。
【図面の簡単な説明】
【００４３】
【図１】マルチメディア放送／マルチキャストサービスのためのネットワーク構成を示す図である。
【図２】ＦＬＣ状況下でのセル状態を示す図である。
【図３】本発明の好ましい実施形態に係るＲＮＣとＵＥとの間のメッセージの流れを示す図である。
【図４】本発明の好ましい実施形態に係るＲＮＣとＵＥとの間のメッセージの流れを示す更に他の図である。
【図５】本発明の好ましい実施形態に係るＳＲＮＣの構成を示す図である。
【図６】本発明の好ましい実施形態に係るＳＲＮＣの動作を示す流れ図である。
【図７】本発明の好ましい実施形態に係るＤＲＮＣの構成を示す図である。
【図８】本発明の好ましい実施形態に係るＤＲＮＣの動作を示す流れ図である。
【図９】本発明の好ましい実施形態に係るＵＥの動作を示す流れ図である。
【符号の説明】
【００４４】
５００、７０２  ＳＲＮＣ
５０１、７０１  ＵＥ
５０２、７００  ＤＲＮＣ
５１０  ＵＥ移動性管理部
５２０  ＦＬＣ制御部
５３０  ＲＲＣ送受信部
５４０、７４０  Ｉｕｒインターフェース部
７２０  無線リンク管理部
７３０  無線送受信部
【図１】
2008524955.tif 000005
【図２】
2008524955.tif 000006
【図３】
2008524955.tif 000007
【図４】
2008524955.tif 000008
【図５】
2008524955.tif 000009
【図６】
2008524955.tif 000010
【図７】
2008524955.tif 000011
【図８】
2008524955.tif 000012
【図９】
2008524955.tif 000013
【国際調査報告】
2008524955.tif 000014
2008524955.tif 000015